(57)【特許請求の範囲】
【請求項１】
システムであって、
第１の本体と、前記第１の本体から突出する複数のフィンガとを備えるバイアル安定化装置ベースであって、前記複数のフィンガは、前記第１の本体の周りに環状に配設される、バイアル安定化装置ベースと、
医療バイアルに固定されるように構成され、第２の本体と、前記第２の本体から突出する複数のアームとを備えるバイアルアダプタであって、前記第２の本体は、通路を画定する、バイアルアダプタと
を備え、
前記バイアル安定化装置ベースの前記複数のフィンガは、バイアルを受け入れるように構成された第１のシートと、前記バイアルアダプタを受け入れるように構成された第２のシートとを有するソケットを画定することを特徴とするシステム。
【請求項２】
前記第２の本体から突出する前記複数のアームは、バイアルと係合するように構成されることを特徴とする請求項１に記載のシステム。
【請求項３】
前記第２の本体から突出する前記複数のアームは、弾性的に変形可能であることを特徴とする請求項２に記載のシステム。
【請求項４】
前記第２の本体から突出する前記複数のアームは、前記バイアルとのスナップ嵌合を形成するように構成された、傾斜した表面を備えることを特徴とする請求項２に記載のシステム。
【請求項５】
前記バイアルアダプタは、第１のサイズを有するバイアルを、第２のサイズを有するバイアルに取り付けるように構成された閉鎖式システム移送デバイスに取り付けることを可能にするように構成されることを特徴とする請求項２に記載のシステム。
【請求項６】
前記第１のサイズは、前記第２のサイズより小さいことを特徴とする請求項５に記載のシステム。
【請求項７】
前記第１の本体から突出する前記複数のフィンガは、バイアルを把持するように構成された第１の把持隆起部と、前記バイアルアダプタを把持するように構成された第２の把持隆起部とを備えることを特徴とする請求項１に記載のシステム。
【請求項８】
前記第１の把持隆起部および前記第２の把持隆起部の各々は、前記第１の本体から突出する前記複数のフィンガの少なくとも１つから径方向に内方向に延びることを特徴とする請求項７に記載のシステム。
【請求項９】
前記第１の把持隆起部は、前記第２の把持隆起部に対してさらに径方向に内方向に配置されることを特徴とする請求項８に記載のシステム。
【請求項１０】
前記第１の本体から突出する前記複数のフィンガは、弾性的に変形可能であることを特徴とする請求項１に記載のシステム。
【請求項１１】
前記バイアルアダプタは、前記第２の本体から径方向に延び、かつバイアルと係合するように構成された、少なくとも１つの保持タブをさらに備えることを特徴とする請求項１に記載のシステム。
【請求項１２】
前記第１の本体から突出する前記複数のフィンガは、前記第１の本体の円周縁から径方向に内方向に離間されることを特徴とする請求項１に記載のシステム。
【請求項１３】
バイアル安定化装置ベースとバイアルアダプタの組立体であって、
第１の本体と、前記第１の本体から突出する複数のフィンガとを備えるバイアル安定化装置ベースであって、前記複数のフィンガは、前記第１の本体の周りに環状に配設され、バイアルを受け入れるように構成された第１のシートと、第２のシートとを有するソケットを画定する、バイアル安定化装置ベースと、
医療バイアルに固定されるように構成され、第２の本体と、前記第２の本体から突出する複数のアームとを備えるバイアルアダプタであって、前記第２の本体は通路を画定する、バイアルアダプタと
を備え、
前記バイアルアダプタは、前記バイアル安定化装置ベースの前記ソケット内に少なくとも部分的に受け入れられ、前記バイアル安定化装置ベースの前記第２のシートと係合されることを特徴とするバイアル安定化装置ベースとバイアルアダプタの組立体。
【請求項１４】
前記第２の本体から突出する前記複数のアームは、バイアルと係合するように構成されることを特徴とする請求項１３に記載の組立体。
【請求項１５】
前記第２の本体から突出する前記複数のアームは、弾性的に変形可能であることを特徴とする請求項１４に記載の組立体。
【請求項１６】
前記第１の本体から突出する前記複数のフィンガは、バイアルを把持するように構成された第１の把持隆起部と、前記バイアルアダプタに係合され、かつ前記バイアルアダプタを前記バイアル安定化装置ベースに解放可能に固定する、第２の把持隆起部とを備えることを特徴とする請求項１３に記載の組立体。
【請求項１７】
前記第１の把持隆起部および前記第２の把持隆起部の各々は、前記第１の本体から突出する前記複数のフィンガの少なくとも１つから径方向に内方向に延びることを特徴とする請求項１６に記載の組立体。
【請求項１８】
前記第１の把持隆起部は、前記第２の把持隆起部に対してさらに径方向に内方向に配置されることを特徴とする請求項１７に記載の組立体。
【請求項１９】
前記バイアルアダプタは、前記第２の本体から径方向に内向きに延び、かつバイアルと係合するように構成された、少なくとも１つの保持タブをさらに備えることを特徴とする請求項１３に記載の組立体。
【請求項２０】
前記第１の本体から突出する前記複数のフィンガは、前記第１の本体の円周縁から径方向に内方向に離間されることを特徴とする請求項１３に記載の組立体。
【発明の詳細な説明】
【技術分野】
【０００１】
本開示は、一般に、バイアルアダプタを備えたバイアル安定化装置ベースに関する。より詳細には、本開示は、流体の閉鎖式移送のためのシステム、閉鎖式システム移送デバイス、またはバイアル内容物移送デバイスと共に使用され得るバイアルアダプタを備えたバイアル安定化装置ベースに関する。バイアルアダプタは、流体の閉鎖式移送のためのシステム、閉鎖式システム移送デバイス、またはバイアル内容物移送デバイス内に種々のサイズのバイアルを収容することを可能にする。
【背景技術】
【０００２】
がん治療などの危険な薬物を再構成し、送り、投与する医療供給者は、これらの薬剤に対する暴露のリスクにさらされ、医療供給環境内で重大な危険をもたらす恐れがある。たとえば、がん患者を治療する看護師は、化学療法薬およびその有毒作用にさらされるというリスクを有する。意図しない化学療法薬の暴露は、神経系に影響を与え、再生系を損ない、将来的に血液がんに進行するリスクの増大をもたらし得る。有毒薬物にさらされる医療供給者のリスクを低減するために、これらの薬物の閉鎖式移送が、重要になってきている。
【発明の概要】
【発明が解決しようとする課題】
【０００３】
一部の薬物は、これらが投与される前に溶解または希釈されなければならず、これは、溶媒を１つの容器から、粉末状または液体の形の薬物を含む密封されたバイアルに、針を用いることによって移送することを伴う。薬物は、バイアルからの針の引き出し中、および針が内側にある間、バイアルの内部と周囲大気の間に何らかの差圧が存在する場合に、不注意により、ガスの形態でまたはエアゾール化によって大気中に解放されることがある。
【課題を解決するための手段】
【０００４】
１つの態様では、システムは、第１の本体と、第１の本体から突出する複数のフィンガとを有するバイアル安定化装置ベースであって、複数のフィンガが、第１の本体の周りに環状に配設される、バイアル安定化装置ベースと、医療バイアルに固定されるように構成され、第２の本体と、第２の本体から突出する複数のアームとを有するバイアルアダプタとを含む。第２の本体は、通路を画定する。バイアル安定化装置ベースの複数のフィンガは、バイアルを受け入れるように構成された第１のシートと、バイアルアダプタを受け入れるように構成された第２のシートとを有するソケットを画定する。
【０００５】
第２の本体から突出する複数のアームは、バイアルと係合するように構成され得る。第２の本体から突出する複数のアームは、弾性的に変形可能になり得る。第２の本体から突出する複数のアームの各々は、バイアルとのスナップ嵌合を形成するように構成された、傾斜した表面を含むことができる。
【０００６】
バイアルアダプタは、第１のサイズを有するバイアルを、第２のサイズを有するバイアルに取り付けるように構成された閉鎖式システム移送デバイスに取り付けることを可能にするように構成され得る。
【０００７】
第１の本体から突出する複数のフィンガは、バイアルを把持するように構成された第１の把持隆起部と、バイアルアダプタを把持するように構成された第２の把持隆起部とを含むことができる。第１の把持隆起部および第２の把持隆起部の各々は、第１の本体から突出する複数のフィンガの少なくとも１つから径方向に内方向に延びる。第１の把持隆起部は、第２の把持隆起部に対してさらに径方向に内方向に配置され得る。
【０００８】
第１の本体から突出する複数のフィンガは、弾性的に変形可能になり得る。バイアルアダプタは、第２の本体から径方向に内方向に延び、かつバイアルと係合するように構成された、少なくとも１つの保持タブをさらに含むことができる。第１の本体から突出する複数のフィンガは、第１の本体の円周縁から径方向に内方向に離間され得る。
【０００９】
別の態様では、バイアル安定化装置およびバイアルアダプタ組立体は、第１の本体と、第１の本体から突出する複数のフィンガとを含むバイアル安定化装置ベースであって、複数のフィンガは、第１の本体の周りに環状に配設され、バイアルを受け入れるように構成された第１のシートと、第２のシートとを有するソケットを画定する、バイアル安定化装置ベースと、医療バイアルに固定されるように構成され、第２の本体と、第２の本体から突出する複数のアームとを含むバイアルアダプタとを含む。第２の本体は、通路を画定する。バイアルアダプタは、バイアル安定化装置ベースのソケット内に少なくとも部分的に受け入れられ、バイアル安定化装置ベースの第２のシートに係合される。
【００１０】
第２の本体から突出する複数のアームは、バイアルと係合するように構成され得る。第２の本体から突出する複数のアームは、弾性的に変形可能になり得る。第１の本体から突出する複数のフィンガは、バイアルを把持するように構成された第１の把持隆起部と、バイアルアダプタに係合され、かつバイアルアダプタをバイアル安定化装置ベースに解放可能に固定する、第２の把持隆起部とを含むことができる。第１の把持隆起部および第２の把持隆起部の各々は、第１の本体から突出する複数のフィンガの少なくとも１つから径方向に内方向に延びることができる。第１の把持隆起部は、第２の把持隆起部に対してさらに径方向に内方向に配置され得る。バイアルアダプタは、第２の本体から径方向に内方向に延び、かつバイアルと係合するように構成された、少なくとも１つの保持タブをさらに含むことができる。第１の本体から突出する複数のフィンガは、第１の本体の円周縁から径方向に内方向に離間され得る。
【図面の簡単な説明】
【００１１】
本開示の上記で述べられた他の特徴および利点、ならびにこれらを達成する方法は、添付の図を併用してなされる本開示の態様の以下の説明を参照することによって、明白になり、本開示自体が、より良好に理解されるであろう。
【図１Ａ】本発明の態様による、組み立てられたバイアル安定化装置ベースおよびバイアルアダプタの斜視図である。
【図１Ｂ】本発明の態様による、図１Ａに示す、組み立てられたバイアル安定化装置ベースおよびバイアルアダプタの側面図である。
【図１Ｃ】本発明の態様による、図１Ａに示す、組み立てられたバイアル安定化装置ベースおよびバイアルアダプタの上面図である。
【図１Ｄ】本発明の態様による、図１Ｃに示す、線１Ｄ−１Ｄに沿って切り取られた、組み立てられたバイアル安定化装置ベースおよびバイアルアダプタの断面図である。
【図２Ａ】本発明の態様によるバイアルアダプタの斜視図である。
【図２Ｂ】本発明の態様による、図２Ａに示すバイアルアダプタの側面図である。
【図２Ｃ】本発明の態様による、図２Ａに示すバイアルアダプタの上面図である。
【図２Ｄ】本発明の態様による、図２Ｃに示す線２Ｄ−２Ｄに沿って切り取られたバイアルアダプタの断面図である。
【図２Ｅ】本発明の態様による、図２Ａに示すバイアルアダプタの底面図である。
【図３Ａ】本発明の態様による、バイアル安定化装置ベースの斜視図である。
【図３Ｂ】本発明の態様による、図３Ａに示すバイアル安定化装置ベースの側面図である。
【図３Ｃ】本発明の態様による、図３Ａに示すバイアル安定化装置ベースの上面図である。
【図３Ｄ】本発明の態様による、図３Ｃに示す線３Ｄ−３Ｄに沿って切り取られたバイアル安定化装置ベースの断面図である。
【図３Ｅ】本発明の態様による、図３Ａに示すバイアル安定化装置ベースの底面図である。
【図４Ａ】本発明の態様による、バイアル安定化装置ベースおよびバイアルに取り付けられたバイアルアダプタの斜視図である。
【図４Ｂ】本発明の態様による、図４Ａに示すバイアル安定化装置ベースおよびバイアルアダプタの上面図である。
【図４Ｃ】本発明の態様による、図４Ａに示すバイアル安定化装置ベースおよびバイルアダプタの側面図である。
【図４Ｄ】本発明の態様による、図４Ａに示すバイアル安定化装置ベースおよびバイアルアダプタの断面図である。
【図５Ａ】本発明の態様による、閉鎖式システム移送デバイスがバイアルアダプタおよびバイアルに取り付けられるように配置された状態で示す、バイアルに取り付けられたバイアル安定化装置ベースおよびバイアルアダプタの斜視図である。
【図５Ｂ】本発明の態様による、閉鎖式システム移送デバイスが、バイアルアダプタおよびバイアルに取り付けられている、バイアルに取り付けられたバイアル安定化装置ベースおよびバイアルアダプタの斜視図である。
【図５Ｃ】本発明の態様による、図５Ｂに示すバイアル安定化装置ベースおよびバイアルアダプタの上面図である。
【図５Ｄ】本発明の態様による、図５Ｃの線５Ｄ−５Ｄに沿って切り取られたバイアル安定化装置ベースおよびバイアルアダプタの断面図である。
【図５Ｅ】本発明の態様による、図５Ｂに示すバイアル安定化装置ベースおよびバイアルアダプタの底面図である。
【図５Ｆ】本発明の態様による、図５Ｂに示すバイアル安定化装置ベースおよびバイアルアダプタの側面図である。
【図６】本発明の態様による、バイアルをバイアル安定化装置内に配置されたバイアルアダプタに連結するステップを示す側面図である。
【図７】本発明の態様による、バイアル安定化装置内に配置されたバイアルアダプタに連結されたバイアルの側面図である。
【図８】本発明の態様による、バイアルアダプタが取り付けられたバイアルをバイアル安定化装置から取り外すステップの側面図である。
【図９】本発明の態様による、キャップ側を上に向けて配置された、バイアルアダプタに連結されたバイアルの側面図である。
【図１０】本発明の態様による、バイアルの底部がバイアル安定化装置内に挿入されている、バイアルアダプタに連結されたバイアルの側面図である。
【図１１】本発明の態様による、バイアルの底部がバイアル安定化装置内に固定されている、バイアルアダプタに連結されたバイアルの側面図である。
【発明を実施するための形態】
【００１２】
対応する参照記号は、複数の図を通じて対応する部分を示す。本明細書において記載する例示は、本開示の例示的な態様を示し、そのような例示は、いかなる方法でも本開示の範囲を限定するものとして解釈されるものではない。
【００１３】
以下の説明は、当業者が、本発明を実施するために企図された、説明される態様を作製し、使用することができるように提供される。しかし、さまざまな改変形態、等価物、変形形態、および代替策が、依然として当業者に容易に明らかになるであろう。あらゆるすべてのそのような代替策、変形形態、等価物、および代替策は、本発明の趣旨および範囲内に含まれるよう意図される。
【００１４】
これ以後の説明の目的のために、用語「上側」、「下側」、「右」、「左」、「垂直」、「水平」、「上部」、「底部」、「横方向」、「長手方向」、およびそれらの派生語は、図に配向されるように本発明に関連付けるものとする。しかし、本発明は、そうではないと明示的に明記されない限り、さまざまな代替的な変形形態をとり得ることを理解されたい。また、添付の図に示し、以下の明細書において説明する特有のデバイスが、本発明の例示的な態様にすぎないことも理解されたい。故に、本明細書において開示する態様に関連する特有の寸法および他の物理的特性は、限定的であると考慮されるものではない。
【００１５】
図１Ａ〜５Ｆを参照すれば、本発明の１つの態様によるバイアル安定化装置およびバイアルアダプタ組立体１０は、バイアル安定化装置ベース１２およびバイアルアダプタ１４を含み、これらは、以下でより詳細に説明する。
【００１６】
図１Ａ〜２Ｅを参照すれば、バイアルアダプタ１４は、リング部材１６と、ロッキングアーム１８と、ロッキングタブ２０と、保持タブ２２と、リング部材１６によって画定された通路２４とを含む。リング部材１６は環状であるが、リング部材１６に適した他の形状が利用されてもよい。バイアルアダプタ１４のロッキングアーム１８およびロッキングタブ２０は、医療バイアル４０のキャップ４２にしっかりと連結するように構成される。医療バイアル４０は、再構成される必要がある流体の形態または粉末状の形態で薬剤を含み得る。図２Ａに示すように、ロッキングアーム１８は、リング部材１６から延び、このときロッキングタブ２０は、ロッキングアーム１８からほぼ垂直に延びている。３本のロッキングアーム１８が設けられているが、任意の他の適切な数のアームが利用されてよい。ロッキングタブ２０は、バイアル４０のキャップ４２と係合するように構成された傾斜した表面２１を画定し、ロッキングアーム１８を径方向に外方向に偏向させてバイアルアダプタ１４がバイアル４０を受け入れることを可能にし、これは以下でより詳細に論じる。保持タブ２２は、リング部材１６から径方向に内方向に延び、バイアル４０のキャップ４２と当接するように構成され、これは以下でより詳細に論じる。
【００１７】
図１Ａ〜１Ｄおよび３Ａ〜３Ｅを参照すれば、バイアル安定化装置ベース１２は、基礎部材２６と、基礎部材２６から突出する把持フィンガ２８とを含み、把持フィンガ２８は、バイアルシート３２およびバイアルアダプタシート３４と共にソケット３０を画定する。基礎部材２６は、ディスク様形状のものであるが、他の適切な形状および配置が基礎部材２６に対して利用されてよい。把持フィンガ２８は、基礎部材２６からほぼ垂直に延びる。８本の把持フィンガ２８が設けられているが、任意の他の適切な数の把持フィンガ２８が設けられてよい。把持フィンガ２８は、ソケット３０内に配設され、かつバイアル４０およびバイアルアダプタ１４それぞれを把持するように適合された、バイアル把持隆起部３６およびバイアルアダプタ把持隆起部３８をさらに含む。バイアル把持隆起部３６およびバイアルアダプタ把持隆起部３８は、把持フィンガ２８の各々から延びる弧状の突出部として形成されるが、バイアル把持隆起部３６およびバイアルアダプタ把持隆起部３８に対する他の適切な配置が、利用されてよい。以下により詳細に論じられるように、バイアルシート３２は、バイアル４０を受け入れるように構成され、バイアルアダプタシート３４は、バイアルアダプタ１４を受け入れるように構成される。
【００１８】
図１Ａ〜１Ｄを参照すれば、バイアル安定化装置およびバイアルアダプタ組立体１０は、バイアルアダプタ１４が、バイアルアダプタシート３４と当接しながらバイアル安定化装置ベース１２のソケット３０内に少なくとも部分的に配置された状態で、ユーザに提供されるように構成される。バイアルアダプタ１４は、バイアル安定化装置ベース１２のバイアルアダプタ把持隆起部３８を介してバイアル安定化装置ベース１２に解放可能に固定される。バイアルアダプタ把持隆起部３８は、リング部材１６と係合して、バイアルアダプタ１４をバイアル安定化装置ベース１２内に解放可能に保持する摩擦および／または圧縮力をもたらす。
【００１９】
図４Ａ〜１１を参照すれば、バイアルアダプタ１４は、バイアル安定化装置ベース１２と共に使用されて、バイアルアダプタ１４をバイアル４０に固定することを助け、および／またはバイアル４０の内容物を送る間、バイアル４０の傾きを防止することができる。バイアルアダプタ１４が、図６に示すようにバイアルアダプタシート３４においてバイアル安定化装置ベース１２に解放可能に固定された状態で、バイアル４０は、キャップ４２を下方向に向けて配置され、キャップ４２と軸方向に位置合わせされる。次に、図７に示すように、キャップ４２は、傾斜した表面２１と係合しながら、キャップ４２がロッキングタブ２０上を排動するにつれてロッキングアーム１８が外方向に曲がりながら、ロッキングタブ２０内に押し込められ、最終的にキャップ４２は、ロッキングタブ２０のロッキング表面４４を過ぎ、保持タブ２２によって画定された保持表面と接触するようになる。ロッキングアーム１８は、内方向に跳ね返り、その元の位置に戻り、バイアルアダプタ１４をバイアル４０に固定する。バイアル４０に固定された後、バイアルアダプタ１４は、バイアル４０またはバイアルアダプタ１４を破損し、または傷つけることなくバイアル４０から容易に取り外すことができるが、バイアルアダプタ１４がバイアル４０に解放可能に固定され得る他の配置が利用されてよい。図８に示すように、バイアルアダプタ１４が取り付けられたバイアル４０は、次いで、引き上げられ、バイアル安定化装置ベース１２から外れる。バイアルアダプタ１４が取り付けられたバイアル４０は、次いで、図９に示すように、キャップ４２が上方向を向くように回転される。図１０および１１に示すように、バイアル４０は、次いで、バイアル安定化装置ベース１２のソケット３０内に下方に押し込められ、それにより、バイアル４０のバイアル壁４８は、バイアルシート３２およびバイアル把持隆起部３６と接触する。特に、バイアル把持隆起部３６は、バイアル壁４８と係合して、バイアル４０をバイアル安定化装置ベース１２内に解放可能に保持する摩擦および／または圧縮力をもたらす。
【００２０】
図４Ａ〜５Ｆを参照すれば、バイアル４０は、バイアルアダプタ１４がバイアル４０に取り付けられた状態でバイアル安定化装置ベース１２によって安定化され、バイアル４０は、閉鎖式システム移送デバイス５０にいつでも取り付けられる状態にある。バイアルアダプタ１４は、閉鎖式システム移送デバイス５０がさまざまなサイズのバイアルに固定されることを可能にするように構成される。特に、閉鎖式システム移送デバイス５０は、通常、単一のバイアルサイズだけに固定されるように構成されており、バイアル４０のサイズを受け入れるには大きすぎることがある。しかし、バイアルアダプタ１４は、閉鎖式システム移送デバイス５０を、バイアル４０のようなより小さいサイズのバイアルに固定することを可能にする。たとえば、バイアルアダプタ１４は、１３ｍｍバイアルを、２０ｍｍバイアルを受け入れるように構成された閉鎖式システム移送デバイスに取り付けることを可能にするように構成され得るが、さまざまなサイズのバイアルアダプタが、多様なバイアルサイズおよび多様な閉鎖式システム移送デバイスサイズを収容するように企図される。
【００２１】
図５Ａ〜５Ｆをより具体的に参照すれば、閉鎖式システム移送デバイス５０は、均圧システム５２と、穿孔スパイク５４と、流体通路５６と、シリンジ隔壁５８と、スナップ嵌合アーム６０とを含む。しかし、他の適切なデバイスが、バイアル安定化装置およびバイアルアダプタ組立体１０と共に使用されてよい。閉鎖式システム移送デバイス５０は、スナップ嵌合アーム６０のスナップ嵌合タブ６２が、バイアルアダプタ１４のリング部材１６の周りに配設されたロッキング隆起部６４としっかりと係合するまで、スナップ嵌合アーム６０をバイアルアダプタ１４上に押し付けることにより、バイアルアダプタ１４を備えたバイアル４０に取り付けられる。閉鎖式システム移送デバイス５０をバイアル４０に取り付けているとき、穿孔スパイク５４は、バイアルアダプタ１４の通路２４を貫通し、バイアルキャップ４２内に配設されたバイアル隔壁６６を突き刺し、バイアル４０の内部と流体通路５６の間の流体連通を可能にし、それによって流体を閉鎖式システム移送デバイス５０の隔壁５８にあるシリンジ（図示せず）またはシリンジアダプタ（図示せず）を介して移送することを可能にする。
【００２２】
本開示は、例示的な設計を有しながら説明されてきたが、本開示は、この開示の趣旨および範囲内でさらに改変することができる。したがって、この適用は、本開示の全体的な原理を使用する本開示の任意の変形形態、用途、または適合を対象とするよう意図される。さらに、本出願は、本開示が関係する当業者によく知られている、または慣習的な実践内に入るような、また付属の特許請求の範囲の制限内に含まれる、本開示からのそのような逸脱を対象とするよう意図される。
【図１Ａ】
0006336125.tif 000002
【図１Ｂ】
0006336125.tif 000003
【図１Ｃ】
0006336125.tif 000004
【図１Ｄ】
0006336125.tif 000005
【図２Ａ】
0006336125.tif 000006
【図２Ｂ】
0006336125.tif 000007
【図２Ｃ】
0006336125.tif 000008
【図２Ｄ】
0006336125.tif 000009
【図２Ｅ】
0006336125.tif 000010
【図３Ａ】
0006336125.tif 000011
【図３Ｂ】
0006336125.tif 000012
【図３Ｃ】
0006336125.tif 000013
【図３Ｄ】
0006336125.tif 000014
【図３Ｅ】
0006336125.tif 000015
【図４Ａ】
0006336125.tif 000016
【図４Ｂ】
0006336125.tif 000017
【図４Ｃ】
0006336125.tif 000018
【図４Ｄ】
0006336125.tif 000019
【図５Ａ】
0006336125.tif 000020
【図５Ｂ】
0006336125.tif 000021
【図５Ｃ】
0006336125.tif 000022
【図５Ｄ】
0006336125.tif 000023
【図５Ｅ】
0006336125.tif 000024
【図５Ｆ】
0006336125.tif 000025
【図６】
0006336125.tif 000026
【図７】
0006336125.tif 000027
【図８】
0006336125.tif 000028
【図９】
0006336125.tif 000029
【図１０】
0006336125.tif 000030
【図１１】
0006336125.tif 000031